(57)【要約】【課題】支柱に昇降枠を介して袋載せ台を昇降動自在に装備し、昇降枠を昇降動させる駆動機を台枠に設置してなる昇降作業機であって、袋載せ台の向きが下降限では正面向きで、上昇時や上昇限においては正面を含めた左右何れか一方向の向きに変わるように改良を加えて使用上の安全性と取扱い性を更に高めた昇降作業機を提供する。【解決手段】台枠1-1から立設させた支柱1-2に昇降枠３を介して昇降動自在に装着される袋載せ台２を、昇降枠３に対して左右方向へ首振り回動自在に支持させ、昇降枠３の昇降動に伴う方向変換機構13の誘導切換えによって、袋載せ台２の向きが、少なくとも下降限においては正面向きと成し、上昇停止位置においては左右何れか一方向の向きと成すように構成した。【選択図】図５
2005047688.tif 000002
【特許請求の範囲】
【請求項１】
台枠から立設させた支柱に、昇降枠を介して袋載せ台が昇降動自在に装着され、前記台枠上には前記昇降枠を昇降動させる駆動機が設置され、この駆動機の駆動により昇降枠を介して袋載せ台が上昇・降下するようになした昇降作業機であって、
前記袋載せ台は、昇降枠に対して左右方向へ首振り回動自在に支持され、少なくとも下降限においては正面向きと成し、上昇停止位置においては左右何れか一方向の向きと成すように袋載せ台の向きを切り換える方向変換機構が備えられていることを特徴とする昇降作業機。
【請求項２】
請求項１記載の方向変換機構は、支柱の高さ方向に備えられる切換え手段と、この切換え手段と袋載せ台とを連繋する連繋手段とで構成され、
切換え手段は、支柱の高さ方向適宜の部位から上端側に向けて支柱の前後幅方向に並列状に配設される中央の正面向きレール・前後の左向きレール及び右向きレールと、
前記正面向きレールの真下における支柱の下端側に配設される下降限レールと、
この下降限レールと前記正面向き・左右向きレールとの間において前後回動自在に軸着されて同軸着部を支点とする回動操作により下降限レールの上端と前記正面向き・左右向きレールの何れかの下端とを連絡する誘導レールとで構成され、
連繋手段は、上記正面向き・左右向きレールの各レールに対して係脱自在に係合せしめて昇降枠の昇降動に伴い何れかのレールに沿って転動する誘導輪と、
上記昇降枠に前後水平動自在に装着されて後端側に前記誘導輪を備えると共に、前端側が袋載せ台の回動部側方部位に連結させる連結杆とで構成され、
上記昇降枠が下降限から上昇するに際して、その上昇に伴い誘導輪が下降限レールから誘導レールを通り、この誘導レールによって連絡された正面向き・左右向きレールの何れかのレールに沿って転動する動きにより、袋載せ台の向きが正面維持又は左右の何れか一方向の向きに切り換えられるように構成されてなることを特徴とする昇降作業機。
【請求項３】
請求項１又は２記載の袋載せ台に、袋を載せる又は袋を降ろすことにより、駆動機を作動させるための検出器が備えられていることを特徴とする昇降作業機。
【発明の詳細な説明】
【技術分野】
【０００１】
本発明は、例えば米や麦等の穀類を計量しながら袋詰めした後に穀類収納袋の開口部を閉じたり、該収納袋を抱き抱えて持ち運ぶ際にその高さまで持ち上げたり、また、同穀類収納袋を、倉庫等に保管する際に該穀物収納袋を保管高さまで持ち上げたり、或いは車輌等の荷台への積み降ろしを行なう際には穀物収納袋を持ち上げたり、同荷台から降ろす等の荷物等の上げ下げに利用される昇降作業機に関する。
【背景技術】
【０００２】
従来、脚から立設させた平面視略コの字型を呈する左右の側枠内を転動させる車輪が両端に備えれてなる支持杆に背面板を固着支持させることで、該背面板と載部とから側面略Ｌ字形の荷物載せ台を前記側枠の前面に上下動可能に備え、この荷物載せ台に一端側が止着されたワイヤロープを、前記側枠の上枠に備えた滑車から側枠の背面下部側に設置させている巻取り装置に亘り架け渡し、同ワイヤロープの他端側を該装置ドラムに止着させることで、荷物載せ台に載せられた荷物を巻上げ装置の駆動により上げ下げできるように構成された昇降作業機が知られている（例えば、特許文献１参照）。
【０００３】
ところで、この昇降作業機を用いて例えば図７に例示したように、米や麦等の穀類が30Kgに計量されて袋詰めされた穀物収納袋を車輌等の荷台に積み込む際には、荷台の後方や側方に接近させて作業機を準備し、穀物収納袋が保管されている倉庫内から作業機に至る一連のコンベヤを地面に敷設し、このコンベアにより順次に搬出移送されてくる収納袋を、下降限で待機する荷物載せ台に載せ変えながら行なわれる。
そして、荷物載せ台により荷台の高さ又は荷台上方まで持ち上げられてきた穀物収納袋は作業者によって荷台へと積み込まれるものである。
【０００４】
しかし乍ら、従来作業機の荷物載せ台は、両側枠内を昇降動に伴い転動する車輪を両側に軸支してなる支持枠に固着により支持された固定構造であることから、支持枠に対する荷物載せ台の支持状態は両側枠と平行とする正面向きである。
従って、車輌等の荷台に穀物収納袋を積み込む場合、荷台上方へ上昇されてきた荷物載せ台と荷台との間は大きく開いており、そのために、荷物載せ台に載せられて持ち上げられてきた穀物収納袋を降ろす作業者は荷台の縁に片足を掛ける等の危険な状態で重量のある穀物収納袋を抱き抱えるように持ち上げて荷台へと積み込む作業を行なわなければならなかった。
【０００５】
【特許文献１】実開昭５２−１５６０６５号
【発明の開示】
【発明が解決しようとする課題】
【０００６】
本発明が解決しようとする課題は、台枠から立設する支柱に昇降枠を介して穀類収納袋を載せる袋載せ台を昇降動自在に装備し、昇降枠を昇降動させる駆動機を台枠に設置してなる昇降作業機であって、袋載せ台の向きが下降限では正面向きで、上昇時や上昇停止位置においては正面を含めた左右何れか一方向の向きに変わるように改良を加えて使用上の安全性と取扱い性を更に高めた昇降作業機を提供することにある。
【課題を解決するための手段】
【０００７】
上記課題を解決するために本発明は以下の技術的手段を採用する。
台枠から立設させた支柱に、昇降枠を介して袋載せ台が昇降動自在に装着され、前記台枠上には前記昇降枠を昇降動させる駆動機が設置され、この駆動機の駆動により昇降枠を介して袋載せ台が上昇・降下するようになした昇降作業機であって、
前記袋載せ台は、昇降枠に対して左右方向へ首振り回動自在に支持され、少なくとも下降限においては正面向きと成し、上昇停止位置においては左右何れか一方向の向きと成すように袋載せ台の向きを切り換える方向変換機構が備えられているものである（請求項１）。
【０００８】
上記方向変換機構としては特に限定されるものではないが、その一具体例としては、支柱の高さ方向に備えられる切換え手段と、この切換え手段と袋載せ台とを連繋する連繋手段とで構成され、
切換え手段は、支柱の高さ方向途中部位から上端側に向けて支柱の前後幅方向に並列状に配設される中央の正面向きレール・前後の左向きレール及び右向きレールと、前記正面向きレールの延長真下線上における支柱の下端側に配設される下降限レールと、この下降限レールと前記正面向き・左右向きレールとの間において前後回動自在に軸着されて同軸着部を支点とする回動操作により下降限レールの上端と前記正面向き・左右向きレールの何れかの下端とを連絡する誘導レールとで構成され、
連繋手段は、上記正面向き・左右向きレールの各レールに対して係脱自在に係合せしめて昇降枠の昇降動に伴い何れかのレールに沿って転動する誘導輪と、昇降枠に前後水平動自在に装着されて後端側に前記誘導輪を備えると共に、前端側が袋載せ台の回動部側方部位に連結させる連結杆とで構成され、
上記昇降枠が袋載せ台の下降限から上昇するに際して、その上昇に伴い誘導輪が下降限レールから誘導レールを通り、この誘導レールによって連絡された正面向き・左右向きレールの何れかのレールに沿って転動する動きにより、袋載せ台の向きが正面維持又は左右の何れか一方向に切り換えられるように構成されているものである（請求項２）。
【発明の効果】
【０００９】
本発明の穀類収納袋の昇降作業機は叙上の如く構成してなるから、下記の作用効果を奏する。
駆動機の駆動により上昇・降下する昇降枠に対して左右方向へ首振り回動自在に軸支された袋載せ台は下降限において、方向変換機構の誘導輪が同機構の下降限レールに内在していることで、同下降限においては正面向きと成し、そして、昇降枠が前記下降限から上昇するに際しては、誘導輪が下降限レールから誘導レールを通り、この誘導レールによって連絡された正面向き・左右向きレールの何れかのレールを転動することにより、袋載せ台が正面・左右の何れか一方向に向きが変換される。例えば、誘導レールをその軸支部を支点にレール上端が右向きレールに下端に連絡するように切り換えることで、下降限では正面向きであった袋載せ台が上昇停止位置においては昇降枠に対する回動軸支部を支点に右方向に回動される右向きに自動変換されるものである。
従って、昇降作業機を用いて、穀類が袋詰された穀類収納袋を例えば車輌等の荷台の積み込む際には、作業機の右側を荷台側に接近させた状態で準備し、正面向きで停止している下降限の袋載せ台に穀類収納袋を載せ、駆動機の動力により昇降枠を上昇させると、袋載せ台の向きは昇降機と荷台との間に生じる大きな隙間Ｌを狭める更には同隙間Ｌを完全塞ぐように荷台上方に掛かる（位置する）右向きと成すことから、作業者は荷台の縁に片足を掛ける等の危険を回避した安全な状態で袋載せ台から穀物収納袋を抱き抱えて荷台に積み込むことができる。
【００１０】
また、袋を載せる又は袋を降ろすことにより駆動機を自動的に作動させる検出器が袋載せ台の載置部に配設されてなることで、作業者は穀類収納袋を袋載せ台に載せる又は袋載せ台から穀物収納袋を降ろす度に次の作業のために駆動機作動用のスイッチ操作を行なう必要がなくなる。これにより、例えば下降限の袋載せ台に穀物収納袋を載せた後に、作業者は穀物が計量されて収納された収納袋の開口部を閉じる等の次の作業を行なうことができることで、作業能率の向上が図り得る。
【００１１】
従って、本発明によれば、作業者に対する安全性と作業性の向上が図られた昇降作業機を提供することができる。
【発明を実施するための最良の形態】
【００１２】
昇降枠は、支柱の前面中央に全高に亘り立設させたガイド支柱の横断面外周を囲む平面視略矩形状に枠組み形成され、その内部の上下部位にはガイド支柱を前後から挟み込んだ状態でその前後面を転動する転動輪を枢着することにより、袋載せ台を円滑に昇降移動し得るようにする。
【００１３】
また、前記昇降枠に左右方向に首振り回動自在に支持させる袋載せ台は、平面視が略正方形状を呈する水平な載置部と、この載置部の後端縁辺に支柱の横断左右幅よりも狭い間隔にて垂直に対向配設させた両側の垂直杆部とから側面視略Ｌ字状に形成したものとする。
そして、前記両側の垂直幹部を連結支持させるの昇降枠の前面中央部位に支持パイプを垂直に固着すると共に、この支持パイプに貫通状に支持させてる杆部幹部軸着杆部を上端中央部位に垂直に備える両側の垂下杆部に前記垂直杆部の上端をピン止めにより連結支持させることで、当該連結部を支点として袋載せ台が穀物収納袋を載せる水平姿勢から前端側が上方に逃げる前上がり傾動姿勢となるものとする。
【００１４】
また、袋載せ台は、前述の軸止杆部を昇降枠の前面中央部に垂直に固着備えた支持パイプに対して貫通状に軸支連結せしめることで、当該連結部を支点として左右方向へ首振り回動自在とするものとする。
【実施例１】
【００１５】
本発明の実施形態の一例を図面に基づいて説明する。
図中１は機枠、２は米や麦等の穀類が例えば30Kgに計量されて収納（袋詰め）された穀類収納袋Ｂを載せる袋載せ台、３は袋載せ台２を機枠１の後述する支柱1-2に対して昇降動自在に支持する昇降枠、４は昇降枠３を昇降動させる駆動機であり、この駆動機４の動力により昇降枠３を介して袋載せ台２を例えば地上から車輌の荷台Ｄ高さ、若しくは荷台Ｄ高さよりも高い位置まで上昇させることで、重量のある穀類収納袋Ｂを無理なく車輌の荷台Ｄ等に積み込むことができるようにしてある。
【００１６】
また、穀物が計量収納された後に穀物収納袋Ｂの開口部を閉じる際や開口部が閉じれた穀類収納袋Ｂを抱き抱えてパレットに積み上げる等の他の場所まで持ち運ぶ際には、夫々の作業を無理な前屈み姿勢を取ることなく行なえる高さまで穀物収納袋Ｂを上昇させることで、それらの作業を自然体に近い楽な姿勢で行ない得るようにしてある。
また、本例では袋載せ台２を昇降枠３に対して左右方向へ首振り回動自在に支持させることで、図７に示すように、穀類収納袋Ｂを車輌の荷台Ｄ高さよりも高い位置まで上昇させた後に、穀類収納袋Ｂを抱き抱えて荷台Ｄ上へ積み込むことができるようにしてある。
【００１７】
機枠１は、２本の枠材を平行に配置し、板材を用いて後部側をボルト止等により連結してなる平面視略矩形状の台枠1-1と、この台枠1-1から適宜の高さにて立設させる支柱1-2とで構成される。
【００１８】
支柱1-2は、前面が全高に亘り開口された横断面が略コの字型を枠材からなり、台枠1-1の後側中央部位からボルト止めや溶接等により適宜の高さにて立設させる。また、前面開口における中央部位には横断面が角形のガイド支柱1-20を全高に亘り立設備えて、このガイド支柱1-20に昇降枠３を昇降動可能に装着するようにしてある。
【００１９】
そして、支柱1-2が立設される台枠1-1の後部には駆動機４が設置されており、この駆動機４の出力軸にスプロケット５を、支柱1-1の上端にスプロケット６を夫々備え、次に、昇降枠３の下部に一端側を止着連結せしめたチェーン７をスプロット５、スプロケット６へ亘り架け渡した後に、チェーン７の他端側を昇降枠３の上部に止着連結せしめることで、駆動機４の動力により昇降枠３がガイド支柱1-20に沿って上昇・下降し得るように構成してある。
【００２０】
図中８は、台枠1-1の後端両側に備えた車輪であり、作業機Ａを後方斜めに倒した状態で保管場所等へ楽に移動できるようにしてある。
【００２１】
袋載せ台２は、穀物が袋詰された後に穀類収納袋Ｂの開口部を閉じたり、開口部が閉じられた穀類収納袋Ｂを抱き抱えたてパレットに積み上げたり、肩にかついで他の場所まで持ち運ぶ際に、それらの作業を無理な前屈み姿勢を取ることなく行なえる高さまで穀物収納袋Ｂを持ち上げり、或いは開口部が閉じられた穀類収納袋Ｂを車輌の荷台Ｄ等に積み込むために持ち上げたり、荷台Ｄから地面まで下ろすための昇降台である。
この袋載せ台２は、板材の周囲を上記台枠1-1の左右枠材の間隔と略同じ一辺幅にて折り曲げ形成されると共に裏面に不図示の補強枠材が付設されてなる平面視が略正方形状を呈する水平な載置部2-1と、この載置部2-1の後端縁辺に前記支柱1-2の横断左右幅よりも狭い間隔にて溶接等により垂直に対向配設させた２本の垂直杆部2-2とから側面視略Ｌ字状に形成されている。
【００２２】
また、載置部2-1には下降限において穀物収納袋Ｂが載せられたり、夫々の上昇停止位置において穀物収納袋Ｂが降ろされることで、駆動機４を作動させるリミットスイッチ等からなる検出器９が備えられており、作業者が載置部2-1に穀物収納袋Ｂを載せたり、載置部2-1から穀物収納袋Ｂを降ろす行為を行うことで、袋載せ台２が自動的に上昇・下降移動されるように形成してある。
【００２３】
上記垂直杆部2-2は、断面コの字型の型材からなり、その断面開口を後方に向けた状態で載置部2-1裏面の補強枠材にボルト止めや溶接等により固着せしめることで前述した間隔にて載置部2-1の後端縁辺に垂直に起立され、その上端を昇降枠４の前面中央に備えられる後述の回動支持部10の垂下杆部10-4にピン11止め等により軸着せしめることで、該垂下杆部10-4に連結支持させるようにしてある。
【００２４】
昇降枠３は、支柱1-2の前面開口の中央部に全高に亘り立設させたガイド支柱1-20の横断面外周を囲む平面視略矩形状に枠組み形成され、その内部の上下部位にはガイド支柱1-20を前後から挟む込んだ状態でその前後面を転動する転動輪12を備えることで、袋載せ台２を円滑に昇降動させるようにしてある。
【００２５】
回動支持部10は、昇降枠３の前面に袋載せ台２を正面向きから左右方向に首振り回動自在に支持する役目を成すもので、昇降枠３の前面中央部位においてその高さ方向全高に亘り溶接等により垂直に取り付けられる支持パイプ10-1と、この支持パイプ10-1に貫通回動自在に連結される回動支軸10-2と、この回動支軸10-2の下端に略逆Ｔ字状に固着される水平杆部10-3と、この水平杆部10-3の左右両側に垂直杆部2-2の前述間隔にて溶接等により垂設される垂下杆部10-4とで構成する。
【００２６】
而して、袋載せ台２のコの字形型材からなる垂直杆部2-2を、角パイプからなる垂下杆部10-4に外装せしめた状態で垂直杆部2-2の上端を垂下杆部10-4にピン11止めにて連結支持させることで、袋載せ台２の垂直杆部2-2に回動支持部10を備え、その後に、回動支持部10の回動支軸10-2を、昇降枠３前面の支持パイプ10-1に貫通状に連結支持させることで、袋載せ台２は昇降枠３の前面に正面向きから左向き、右向きへ向きを変える首振り回動自在に装着されるものである。
【００２７】
図中13は方向変換機構であり、昇降枠３に首振り回動自在に装着される袋載せ台２の向きを、図１乃至図４に示すように、少なくとも下降限においては正面向きと成し、そして、図５及び図６に示すように、上昇停止位置においては左右何れか一方向の向きと成すように切り換える役目を成す。
この方向変換機構13は、支柱1-2の内側高さ方向に備えられる切換え手段14と、この切換え手段14と袋載せ台２とを連繋する連繋手段15とで構成され、昇降枠３が下降限から上昇するに際して、その上昇に伴い連繋手段15の後述する誘導輪15-1が切換え手段14の後述する下降限レール14-4から誘導レール14-5を通り、この誘導レール14-5によって連絡された正面向き・左右向きレール14-1，14-2，14-3の何れかのレールに沿って転動する動きを成すことで、袋載せ台２の向きが正面維持又は左右の何れか一方向の向きに切り換えられるようにしてある。
【００２８】
切換え手段14は、支柱1-2の高さ方向適宜の部位から上端側に向けて支柱1-2の前後幅方向に並列状に配設される中央の正面向きレール14-1・前後の左向きレール14-2及び右向きレール14-3と、前記正面向きレール14-1の延長真下線上における支柱1-1の下端側に配設される下降限レール14-4と、この下降限レール14-4と前記正面向き・左右向きレール14-1，14-2，14-3との間において前後回動自在に軸着されて同軸着部P1を支点とする回動操作により下降限レール14-4の上端と前記正面向き・左右向きレール14-1，14-2，14-3の何れかの下端とを連絡する誘導レール14-5とで構成されてなる。
【００２９】
正面向きレール14-1、左向きレール14-2、右向きレール14-3、下降限レール14-4、誘導レール14-5は、誘導輪15-1が係合状態で転動し得る程度の横断面略コの字形を呈する。
そして、正面向き・左右向きレール14-1，14-2，14-3は、支柱1-2の内面一側に高さ方向適宜部位から上端方向に向けて前後方向に溶接等により並列状に配設され、誘導輪15-1が下降限レール14-4から誘導レール14-5により誘導されてくることで、袋載せ台２の向きを正面向き、左向き、左右向きの何れか一方向に変換するようにしてある。例えば、誘導輪15-1が誘導レール14-5より右向きレール14-3に誘導されて、該レール14-3に沿って転動することで、図６に示すように、袋載せ台２が右向き方向に回動するようにしてある。
【００３０】
下端限レール14-4は、支柱1-2の内面一側における前記正面向きレール14-1の真下線上に適宜の高さ（長さ）にて溶接等により配設されて、袋載せ台２が下降限に降下戻される昇降枠３の動きに伴い誘導輪15-1が誘導レール14-5より誘導されて転動することで、袋載せ台２が正面向きと成すようにしてある。
【００３１】
誘導レール14-5は、昇降枠３が下降限から上昇する際には下降限レール14-4から正面向き・左右向きレール14-1，14-2，14-3の何れかのレールに誘導輪15-1を誘導し、一方、昇降枠３が上昇停止位置から下降する際には前記何れかのレール14-1，14-2，14-3から下降限レール14-4へと誘導輪15-1を誘導する。つまり、袋載せ台２の向きを正面向き、左向き、右向きの何れかの一方向に切り換えるためものであり、下降限レール14-4の上端開口に下端開口を連絡させると共に、その連絡状態が常時保たれるように下端側部位を支柱1-2の内面一側に軸着せしめて、当該軸着部P1を支点とする切り替え回動操作により誘導レール14-5の上端開口が正面向き・左右向きレール14-1，14-2，14-3の各下端開口に夫々連絡するように配設される。
【００３２】
そして、上記軸着部P1に下端を連結せしめた切換え操作レバー16を、支柱1-2の外側に同レバー16を包囲するように取り付けたボックス17の操作口18から外部に突出させて、該操作レバー16を操作口18に設けられている正面向き、左向き、右向き用の切換え凹部18-1，18-2，18-3の何れかに係合させることで、誘導レール14-5の上端開口が正面向きレール14-1、左向きレール14-2、右向きレール14-3の何れかの下端開口に位置するようにしてある。
【００３３】
連繋手段15は、上記正面向き・左右向きレール14-1，14-2，14-3に対して係脱自在に係合せしめて昇降枠３の昇降動に伴い何れかのレール14-1，14-2，14-3，14-4，14-5に沿って転動する誘導輪15-1と、昇降枠３に前後水平動自在に装着されて後端側に前記誘導輪15-1を備えると共に、前端側が袋載せ台２の回動部P2側方部位に連結させる連結杆15-2とで構成されてなる。
【００３４】
連結杆15-2は、角形軸材からなり、上記正面向き・左右向きレール14-1，14-2，14-3が配設されている支柱1-2の内面一側に位置する昇降枠３の一側面に前後方向に向けて水平に備えた角形の支持パイプ19によって前後水平動自在に装着されると共に、その前端を回動支持部10の水平杆部10-3の一側に開口されている横長孔20にコロ21を介して連結せしめることで、後端に装着された誘導輪15-1の各レール14-1，14-2，14-3，14-4，14-5に沿って転動する動きに伴い袋載せ台２が昇降枠３に対する回動部P2を支点として正面向きから左向き又は右向きと成すように袋載せ台２を左右方向に回動せしめるようにしてある。
【００３５】
図中22，23は、支柱1-2の背後壁の上下各部位に配設した検出器であり、これら各検出器22，23は不図示の制御部を介して駆動機４に接続されており、昇降枠４の背面に設けた検出部24が接触することにより駆動機４を停止させるようにしてなる。
検出器22は、袋載せ台２が下降限まで下降した際にその移動をその位置で止める下降限用であり、検出器23は穀物収納袋Ｂを載せた袋載せ台２が上昇限まで上昇した際にその移動をその位置で止める上昇限用のリミットスイッチである。
【００３６】
次に、図７に例示したように、倉庫等に保管されている穀類収納袋Ｂを、コンベヤＣを利用して搬出移送しながら車輌等の荷台Ｄに積み込む場合における本例昇降作業機Ａの使用の一例を説明する。
図３及び図４に示すように、下降限において正面向き状態で停止待機する袋載せ台２の載置部2-1にコンベヤＣにより移送されてくる穀物収納袋Ｂを載せ変えると、載置部2-1の検出器９により駆動機４が作動し、穀類収納袋Ｂを載せた袋載せ台２は昇降枠３の検出部24が検出器23に接触する高さ位置まで上昇して停止する。
この時、図６に示すように、切換え操作レバー16により誘導レール14-5の上端開口が右側レール14-3の下端開口に連絡するように切り換えておくことで、収納袋Ｂを載せた袋載せ台２は昇降枠３の上昇に伴う誘導輪15-1の下降限レール14-4から誘導レール14-5を通り、この誘導レール14-5によって連絡された右向きレール14-3に沿って転動する動きにより、昇降枠３との回動部P2を支点に右方向に回動する動きを成す。
【００３７】
従って、本例の昇降作業機Ａによれば、作業機Ａと車輌の荷台Ｄ等との間に生じる大きな隙間Ｌを狭める更には図７に示したように、同隙間Ｌを完全塞ぐように荷台Ｄ上方に掛かる（位置する）右向きと成すことから、作業者は荷台Ｄの縁に片足を掛ける等の危険を回避した安全な状態で袋載せ台２から穀物収納袋Ｂを抱き抱えて荷台Ｄに積み込むことが可能になる。
【００３８】
尚、本例の昇降作業機Ａは前述の実施例構成に限定されるものではない。例えば、切換え手段14を構成する各レール14-1，14-2，14-3，14-4，14-5の支柱1-2の内面一側に対する配設を変えることで、下降限において袋載せ台２の向きが左向きと成し、上昇停止位置においては左向き維持又は正面向き、右向きの何れか一方向と成すように構成したり、その逆の構成にする等、任意である。
【図面の簡単な説明】
【００３９】
【図１】本発明昇降作業機の実施形態の一例を示す一側面図で、支柱高さを一部省略して示す
【図２】同縦断他側面図
【図３】要部を拡大して示す正面図
【図４】横断面図
【図５】袋載せ台が左向きと成した状態を示し、（ａ）は要部を示す側面図、（ｂ）は同横断面図
【図６】袋載せ台が右向きと成した状態を示し、（ａ）は要部を示す側面図、（ｂ）は同横断面図
【図７】本発明昇降作業機の使用の一例を示す概略正面図で、袋載せ台に載せられて持ち上げられてきた穀物収納袋を作業者が抱き抱えて車輌の荷台に積み込む状態を示す
【符号の説明】
【００４０】
１：機枠           1-1：台枠
1-2：支柱            ２：袋載せ台
2-1：載置部         2-2：垂直杆部
３：昇降枠          ４：駆動機
９：検出器          10：回動支持部
10-1：支持パイプ    10-2：回動支軸
10-3：水平杆部      10-4：垂下杆部
12：転動輪          13：方向変換機構
14：切換え手段    14-1：正面向きレール
14-2：左向きレール  14-3：右向きレール
14-4：下降限レール  14-5：誘導レール
15：連繋手段      15-1：誘導輪
15-2：連結杆          16：切換え操作レバー
P1：軸着部         P2：回動部
Ｂ：穀類収納袋
【図１】
2005047688.tif 000003
【図２】
2005047688.tif 000004
【図３】
2005047688.tif 000005
【図４】
2005047688.tif 000006
【図５】
2005047688.tif 000007
【図６】
2005047688.tif 000008
【図７】
2005047688.tif 000009